(57)【要約】【課題】地面が傾斜地のような場所であっても、前後左右の傾きを調整し作業性の向上と杭の精度を高め且つ高さ制限のある場所での施工を容易に行うことを可能としたアースオーガ掘削機および削孔方法を提供する。【解決手段】リーダ（４）は台車（３）上に回転支持ピン（８）を支点として左右方向に傾動可能に支持された傾斜台（９）を介して設置されるとともに、左右傾斜用シリンダ（１１）により左右の傾きを調整可能に設定され、且つその左右傾きをロックする傾斜固定手段（１２）を配備してなることを特徴とする。【選択図】    図３
2004270304.tif 000002
【特許請求の範囲】
【請求項１】
走行手段を備えた台車（３）上に、所定の間隔を隔てて立設された２本一組のリーダ（４）と、このリーダのガイド（１０）に沿って上下昇降可能に支持されたオーガモータ（６）を備え、前記リーダ（４）はスライド用シリンダ（２）により前後に移動されると共にステーシリンダ（７）により前後の傾きを調整可能に設定され、オーガモータ（６）には、下向きにオーガスクリュウ（５）を取付け、このオーガスクリュウにより地面に縦孔を削孔するようにしたアースオーガ掘削機において、前記リーダ（４）は台車（３）上に回転支持ピン（８）を支点として左右方向に傾動可能に支持された傾斜台（９）を介して設置されるとともに、左右傾斜用シリンダ（１１）により左右の傾きを調整可能に設定され、且つその左右傾きをロックする傾斜固定手段（１２）を配備してなることを特徴とするアースオーガ掘削機。
【請求項２】
前記リーダ（４）間に該リーダに設けた昇降シリンダ（１３）により上下昇降する左右一対のチェーンスプロケット（１４）を設けるとともに、このチェーンスプロケットに一端がオーガモータ（６）と連結され他端がリーダ（４）の一部の固定部（１５）に連結されるようにローラリンクチェーン（１６）を張掛してなる請求項１記載のアースオーガ掘削機。
【請求項３】
アースオーガ掘削機を使用した削孔方法において、スクリュウヘッドを少なくとも２セット使用し、そのスクリュウヘッドを第１の削孔位置と該第１の削孔位置から所定の間隔隔てた第２の削孔位置に据え付け、掘削機を第１又は第２の削孔位置に据え付ける際に、リーダ（４）をステーシリンダ（７）により前後の傾きとともに、左右傾斜用シリンダ（１１）により左右方向の傾きを同時又は各別に調整して第１．第２の削孔を行うことを特徴とする削孔方法。
【発明の詳細な説明】
【０００１】
【発明の属する技術分野】
本発明は、地中に杭を埋設するために縦孔を削孔するアースオーガ掘削機による削孔方法及び装置に関し、特に橋梁下等空間の低い場所、或いは狭い場所での杭打ち等の施工に必要なアースオーガ掘削機による削孔方法及びその方法を実施するためのアースオーガ掘削機に関するものである。
【０００２】
【従来の技術】
従来のアースオーガ掘削機は、図１に示すものが知られている。この従来のアースオーガ掘削機は図１に示す如く、走行手段を備えた台車３３に、２本一組のマストからなるリーダ３７と、そのリーダのガイド３８に沿って上下昇降可能に保持されたオーガモータ３６を備え、オーガモータから下向きに取付けられたオーガスクリュウ３５にて路面を削孔するものである。ガイド３８に保持されたオーガモータ３６は、リーダ３７間に設置された昇降用シリンダ３１によってシーブ３２を上下動させることにより昇降する。シーブ３２にはワイヤロープ３４が掛けられ、ロープの一端は調整可能に固定された固定部３４ａに、他端はオーガモータ３６に突設したブラケット３４ｂに結合されている。昇降用シリンダ３１の作動によってシーブ３２が下降動すると、ワイヤロープ３４は緩められるためオーガモータ３６はガイド３８に沿って下降し、逆にシーブ３２が上動すると、ワイヤロープ３４を引上げるためオーガモータ３６は上昇する。また、リーダ３７は後部がステーシリンダ３９によって垂直に支持されるとともに、このステーシリンダの伸縮動作によってリーダ下端の基軸を支点に前方又は後方に傾斜する。
【０００３】
【発明が解決しようとする課題】
ところで、このような従来のアースオーガ掘削機では地面が傾斜したような場所であっても、必ずオーガスクリュウを垂直にセットして正確に垂直方向の縦孔を削孔する必要があるため、例えば地面が左又は右方向に傾斜した場所では機体の右又は左側にクサビ等を打ち込んで掘削機全体の直立姿勢を矯正する必要があった。しかし、掘削機全体をクサビ等を用いて矯正する作業は熟練工による高度の技術と多くの手間を要し作業性を損うだけでなく、危険を伴うなど保安面でも大きな問題点を有していた。また、高さ制限のある施工現場等ではリーダの高さが問題になるため、だきる限りコンパクトで高性能のアースオーガ掘削機が待望されていた。
【０００４】
本発明の目的は、削孔しようとする地面が傾斜地のような場所であっても、前後左右の傾きを調整し作業性の向上と杭の精度を高め且つ高さ制限のある場所での施工を容易に行うことを可能としたアースオーガ掘削機および削孔方法を提供することにある。
【０００５】
【課題を解決するための手段】
上記目的を達成するために、本発明に係るアースオーガ掘削機は、走行手段を備えた台車３上に、所定の間隔を隔てて立設された２本一組のリーダ４と、このリーダのガイド１０に沿って上下昇降可能に支持されたオーガモータ６を備え、前記リーダ４はスライド用シリンダ２により前後に移動されると共にステーシリンダ７により前後の傾きを調整可能に設定され、オーガモータ６には、下向きにオーガスクリュウ５を取付け、このオーガスクリュウにより地面に縦孔を削孔するようにしたアースオーガ掘削機において、前記リーダ４は台車３上に回転支持ピン８を支点として左右方向に傾動可能に支持された傾斜台９を介して設置されるとともに、左右傾斜用シリンダ１１により左右の傾きを調整可能に設定され、且つその左右傾きをロックする傾斜固定手段１２を配備してなることを特徴とする。
【０００６】
本発明のアースオーガ掘削機によれば、地面の傾斜角度に合せてステーシリンダにより前後の傾きを調整するとともに傾斜台を傾斜用シリンダにより左に傾動させることによって前後左右の傾きを調整しオーガスクリュウを如何なる傾斜地に対しても正しく垂直に打ち立てて垂直の縦孔を簡単且つ確実に削孔することができる。
【０００７】
また本発明の掘削機は、リーダ４間に該リーダに設けた昇降シリンダ１３により上下昇降する左右一対のチェーンスプロケット１４を設けるとともに、このチェーンスプロケットに一端がオーガモータ６と連結され他端がリーダ４の一部の固定部１５に連結されるようにローラリンクチェーン１６を張掛してなることを特徴とする。
【０００８】
係る構成とすることによって、強度が強く且つコンパクトなローラチェーンによって限られた空間を有効に使用し且つ機構的にも簡略化を図ることができる。
【０００９】
さらに、本発明の掘削方法によれば、アースオーガ掘削機を使用した削孔方法において、スクリュウヘッドを少なくとも２セット使用し、そのスクリュウヘッドを第１の削孔位置と該第１の削孔位置から所定の間隔隔てた第２の削孔位置に据え付け、掘削機を第１又は第２の削孔位置に据え付ける際に、リーダ４をステーシリンダ７により前後の傾きとともに、左右傾斜用シリンダ１１により左右方向の傾きを同時又は各別に調整して第１．第２の削孔を行うことができる。
【００１０】
【実施例】
以下添付図面を参照して本発明の好ましい実施例を説明する。
【００１１】
図２乃至図５は、一例として本発明のアースオーガ掘削機を示しており、図２は装置全体の側面図、図３はその正面図で、図５は傾斜台の作動状態を示している。
【００１２】
図２及び図３に示すように、台車３は施工場所に沿って地面Ｇに敷設されたレール１上に車輪１７を介して載置され、走行モータＭを含む一連の走行手段によってレール上を前方又は後方へ走行移動する。アースオーガ掘削機Ａは、このような台車３上に組立てられる。台車３には前部および後部の台車３Ａ．３Ｂを連結し夫々切離すことができるようにされている。隣接構造物に接触する連結壁を造成する場合には後部台車３Ｂを切り離して施工するようにする。台車３上に所定の間隔を隔てて２本一組のリーダ４を立設し、このリーダ４はスライド用シリンダ２により前後に移動されるとともに、ステーシリンダ７により前後の傾きを調整できるように後部を支持されている。また、このリーダ４は台車３上に回転支持ピン８を支点に左右方向に傾動するように支持された傾斜台９を介して傾斜用シリンダ１１により左右の傾きをも調整できるようにされている。リーダ４の間にリーダに設けた昇降シリンダ１３により上下動するチェーンスプロケツト１４が設けられていて、そのスプロケツト１４には一端１６Ａがオーガモータ６と連結されたローラリンクチェーン１６が掛けられ、チェーン１６の他端１６Ｂはリーダ４の一部の固定部１５に連結されている。
【００１３】
オーガモータ６は、リーダ４の前部にそのほぼ上下の全長に亘って設けられたガイド１０に案内されて上下動するように支持されており、昇降シリンダ１３によりスプロケット１４が上下動することによりチェーン１６に引張られてオーガモータ６が上下昇降するものである。
【００１４】
スプロケット１４はダブルのものを２連用いてスプロケット受座２０に軸支し、スプロケット受座２０を昇降シリンダ１３のロッド２１の上端に嵌止してなるものである。
【００１５】
傾斜台９には傾斜用シリンダ１１により左右の傾きが調整された際に、その傾きの状態を固定しロックするための傾斜固定手段１２が設けられている。この固定手段１２はねじ軸１２Ａに調整ナツト１２Ｂとロックナット１２Ｃを螺合してなるもので、右又は左傾斜、或いは水平位置において台車３に対して傾斜台９を不動状にロックするものである。
【００１６】
台車３にはカウンタウエイト２２と油圧ユニット２３が設けられており、また台車３Ａには油圧操作盤２４が設けられている。
【００１７】
オーガモータ６には複数セットのスクリュウヘッド５Ａ．５Ｂ．５Ｃを備え、夫々必要なものにオーガスクリュウ５を取付けて掘削施工に使用する。
【００１８】
上記したアースオーガ掘削機Ａにおいて、走行モータＭを作動させて台車３を横移動させることにより削孔位置に臨ませ、またスライドシリンダ２によりリーダ４を前後移動させ、ステージシリンダ７を作動させてリーダ４の前後の傾きを調整すると同時に、さらにこれに加えて傾斜シリンダ１１を作動させてリーダ４の左右方向の傾きを調整させると、リーダ４は如何なる状況の施工場所においても地面Ｇの傾斜に合せて垂直にセットすることができる。またオーガモータ６の昇降シリンダ１３の作動によりスプロケット受座２０を上下動させ、ローラチェーン１６によりオーガモータ６を徐々に下降させながらオーガモータ６の駆動によりオーガスクリュウ５を低速回転させ、下端を地面に突き立てると地面に縦孔が掘削される。また、オーガスクリュウ５の継ぎ足しを行いつつオーガスクリュウにて掘削を行うことにより前後左右等に傾斜した地面にあっても、オーガスクリュウを垂直に継ぎ足して所望の深さの縦孔を正確に掘削することができる。
【００１９】
【発明の効果】
本発明は請求項１記載のように構成されているので、傾斜台を傾斜用シリンダの作動により右又は左に傾斜させることで掘削しようとする地面の変化に容易に対応することができ、特に左右方向の傾きに対しては従来は台車の一部をジャッキで持ち上げたり、くさびを介在させる等の手段による調整作業のような煩雑な手間を要することなく、簡単迅速に施工を行うことができる。
【００２０】
また、本発明は請求項２記載のように構成されているので、オーガモータの昇降シリンダの昇降動作をローラチェーンとこのローラチェーンを掛け渡して案内するチェーンスプロケットにより行われ強度が強く且つコンパクトになり、このため限られた空間を有効に使うことが可能である。
【００２１】
さらに、本発明は請求項３記載の方法よりなるため、上記アースオーガ掘削機を使用してスクリュウヘッドを第１．第２の削孔位置にセットして据え付ける際に、リーダをステーシリンダによる前後の傾きと、傾斜シリンダの左右の傾きの夫々の調整によって前後左右に傾斜した地面に簡単迅速に対応し作業及び施工の効率化を図り得る。
【図面の簡単な説明】
【図１】従来のアースオーガ掘削機の側面図。
【図２】本発明の実施例を示すアースオーガ掘削機の側面図。
【図３】同上の使用面図。
【図４】傾斜台の実施例を模式的に示した図である。
【図５】傾斜台の動作図で、（ａ）は左傾斜、（ｂ）は水平状態、（ｃ）は右傾斜の状態を示している。
【符号の説明】
１      レール
２      スライドシリンダ
３      台車
４      リーダ
５      オーガスクリュウ
６      回転支持ピン
７      ステーシリンダ
８      支持ピン
９      傾斜台
１０    ガイド
１１    傾斜用シリンダ
１２    固定手段
１３    昇降シリンダ
１４    スプロケット
１５    固定部
１６    チェーン
１７    車輪
【図１】
2004270304.tif 000003
【図２】
2004270304.tif 000004
【図３】
2004270304.tif 000005
【図４】
2004270304.tif 000006
【図５】
2004270304.tif 000007